(57)【要約】【課題】組立が容易な発光部材及び照明装置を提供すること。【解決手段】線状光伝送体２と、基材１と、固定部材３とからなり、上記基材には、収納溝１ａが形成されており、上記固定部材３には、貫通孔３ｂが形成されており、上記基材１と上記固定部材３とが別体として接合されており、上記線状光伝送体２が、上記収納溝１ａに長さ方向に沿って嵌め込まれるとともに、上記貫通孔３ｂに挿通され導出されており、上記貫通孔３ｂにおける上記収納溝１ａ側に位置する口である導入口３ｄと上記収納溝１ａの任意の位置とを結ぶ線が、上記収納溝１ａの開口面と交差しない発光部材。上記固定部材３には、係止部３ｃが形成されており、該係止部３ｃにより、固定部材３が線状光伝送体２の導出方向と逆方向に移動することが抑制されている発光部材。上記の発光部材と、上記線状光伝送体の端部に配置された光源とからなる照明装置。【選択図】      図２
2014216276.tif 000002
【特許請求の範囲】
【請求項１】
線状光伝送体と、基材と、固定部材とからなる発光部材であって、
上記基材には、収納溝が形成されており、
上記固定部材には、貫通孔が形成されており、
上記基材と上記固定部材とが別体として接合されており、
上記線状光伝送体が、上記収納溝に長さ方向に沿って嵌め込まれるとともに、上記貫通孔に挿通され導出されており、
上記貫通孔における上記収納溝側に位置する口である導入口と上記収納溝の任意の位置とを結ぶ線が、上記収納溝の開口面と交差しないことを特徴とする発光部材。
【請求項２】
上記固定部材には、係止部が形成されており、該係止部により、固定部材が線状光伝送体の導出方向と逆方向に移動することが抑制されていることを特徴とする請求項１記載の発光部材。
【請求項３】
上記基材における収納溝が形成された面の少なくとも一部と上記固定部材における挿通孔が形成された面の少なくとも一部が同一平面を構成しており、上記基材の収納溝と上記貫通孔が連続するように上記固定部材に収納溝が形成されていることを特徴とする請求項２記載の発光部材。
【請求項４】
上記基材が半透明乳白色であることを特徴とする請求項１〜請求項３何れか記載の発光部材。
【請求項５】
請求項１〜４何れか記載の発光部材と、上記線状光伝送体の端部に配置された光源とからなる照明装置。
【発明の詳細な説明】
【技術分野】
【０００１】
本発明は、例えば、携帯電話、カーオーディオ、パチンコ台、スロット台、車両室内、犬の首輪、キッチンの足元、交通標識、洗面台、シャワー、浴槽の湯温表示機、ＯＡ機器のバックライト等の照明用として好適な発光部材とそれを使用した照明装置に係り、組立が容易なものに関する。
【背景技術】
【０００２】
従来より、光源からの光を透明材料や半透明材料からなる導光部材に入射し、この導光部材を発光させる照明装置が種々提案されている。しかし、単に透明材料や半透明材料からなる導光部材に光を入射すると、入射した部分のみが強く発光し、光源から距離が離れた部分の発光が非常に弱くなってしまっていた。そこで、コア及びクラッドからなり、長さ方向の少なくとも一端から入射された光を端面または周方向（側面）から出射させる線状光伝送体と、この線状光伝送体を固定保持するための部材と、光源とを組合せた照明装置が種々提案されている。このようなものであれば、全体を均一に発光させることができるので、この線状光伝送体をそのまま露出させて発光させたり、線状光伝送体からの光を透明材料や半透明材料からなる導光部材を介して発光させたりすることができる。関連する技術として、例えば、特許文献１〜８などが挙げられる。
【先行技術文献】
【特許文献】
【０００３】
【特許文献１】特許第３９７４１１２号公報：クラベ
【特許文献２】特許第４２０３９８５号公報：クラベ
【特許文献３】特許第４０４０４７７号公報：クラベ
【特許文献４】特許第４２９９７７６号公報：クラベ
【特許文献５】特開２００２−３６７４０３公報：ブリヂストン
【特許文献６】特開平７−１９８９５１号公報：ブリヂストン
【特許文献７】特開２００７−２０３８００公報：日本プラスト
【特許文献８】実開平７−１８９７１公報：住友電装
【発明の開示】
【発明が解決しようとする課題】
【０００４】
上記のようにして使用される線状光伝送体は、様々な形状で配設することができる汎用性の高いものであるが、それが故に、専用設計された導光部材と比べて組立を容易にするには工夫が必要となる。例えば、図５に示すような、特許文献７に記載された照明装置では、基材１０１に、線状光伝送体１０２を収納する溝と、線状光伝送体１０２を光源１０４に導出する貫通孔がともに形成されている。そのため、線状光伝送体１０２を溝に収納する作業と、線状光伝送体１０２を貫通孔に挿通する作業とを同時に行う必要があり、狭いスペースと線状光伝送体の弾性復元力と相まって、作業として困難なものとなっている。
【０００５】
本発明はこのような従来技術の問題点を解決するためになされたもので、その目的とするところは、特に、組立を容易なものとすることにある。
【課題を解決するための手段】
【０００６】
上記目的を達成するべく、本発明による発光部材は、線状光伝送体と、基材と、固定部材とからなる発光部材であって、上記基材には、収納溝が形成されており、
上記固定部材には、貫通孔が形成されており、上記基材と上記固定部材とが別体として接合されており、上記線状光伝送体が、上記収納溝に長さ方向に沿って嵌め込まれるとともに、上記貫通孔に挿通され導出されており、上記貫通孔における上記収納溝側に位置する口である導入口と上記収納溝の任意の位置とを結ぶ線が、上記収納溝の開口面と交差しないことを特徴とするものである。
また、上記固定部材には、係止部が形成されており、該係止部により、固定部材が線状光伝送体の導出方向と逆方向に移動することが抑制されていることが考えられる。
また、上記基材における収納溝が形成された面の少なくとも一部と上記固定部材における挿通孔が形成された面の少なくとも一部が同一平面を構成しており、上記基材の収納溝と上記貫通孔が連続するように上記固定部材に収納溝が形成されていることが考えられる。
また、上記基材が半透明乳白色であることが考えられる。
また、本発明による照明装置は、上記の発光部材と、上記線状光伝送体の端部に配置された光源とからなるものである。
【発明の効果】
【０００７】
本発明によれば、基材と固定部材が別体となっているため、線状光伝送体を基材の収納溝に収納する作業と、線状光伝送体を固定部材の貫通孔に挿通する作業とを、別場所で別作業として行うことができ、組立の作業が容易となる。また、貫通孔の導入口と収納溝の任意の位置とを結ぶ線が、収納溝の開口面と交差しない構成であるため、線状光伝送体を固定部材から引き出す力によって、線状光伝送体が収納溝の底部方向に押し付けられることになり、より確実且つ容易に組立を行うことができる。
また、固定部材の係止部により、線状光伝送体を引き出す際の反力によって固定部材が位置ずれしてしまうことを防止できる。
また、基材における収納溝が形成された面の少なくとも一部と固定部材における挿通孔が形成された面の少なくとも一部が同一平面を構成するよう設計していれば、外観に優れるとともに、ずれの有無によって、基材と固定部材の接合状態を確認することができる。
【図面の簡単な説明】
【０００８】
【図１】本実施の形態による発光部材を示す斜視図である。
【図２】本実施の形態による発光部材を示す分解斜視図である。
【図３】本実施の形態による発光部材を模式的に示す断面図である。
【図４】本実施の形態によらない発光部材を模式的に示す断面図である。
【図５】従来技術による照明装置を示す分解斜視図である。
【発明を実施するための最良の形態】
【０００９】
以下、図面を使用して本発明の実施の形態を説明する。図１、２に示すように、まず、基材１は乳白色半透明のアクリル樹脂を環形状に成形したのものであり、半径方向と直行する１面には収納溝１ａが形成されている。この収納溝１ａは、断面形状が１辺１ｍｍの正方形であり、基材１の周形状に沿って形成されている。また、この収納溝１ａの終点と始点は、基材１の周部分まで形成されている。勿論、他の形態の基材を使用しても構わない。
【００１０】
線状光伝送体２としては、種々のものが使用できるが、本実施の形態では、フッ素樹脂からなるクラッド材と、該クラッド材よりも屈折率の高い透明エラストマーからなるコア材とからなるものを使用した。このコア材又はクラッド材には微粒子が分散されており、この微粒子によって入射した光が散乱し、光伝送体の側面より光が出射することとなる。この線状光伝送体２の直径は、１ｍｍとした。勿論、他の形態の線状光伝送体を使用しても構わない。
【００１１】
固定部材３は、不透明樹脂を成形したものである。上記基材１の収納溝１ａの終点及び始点と連続するように、この固定部材３の一面にも収納溝３ａが形成されており、この収納溝３ａと連続して、線状光伝送体２を挿通し導出する貫通孔３ｂが形成されている。また、固定部材３には、係止部３ｃが形成されており、この係止部３ｃにより、固定部材３が線状光伝送体２の導出方向と逆方向に移動することが抑制されている。同時に、この係止部３ｃによって係止される位置は、基材１における収納溝１ａが形成された面の少なくとも一部と固定部材３における挿通孔３ｂが形成された面の少なくとも一部が同一平面を構成する位置となるよう設計されている。勿論、他の形態の固定部材を使用しても構わない。
【００１２】
上記のような基材１、線状光伝送体２、及び固定部材３を組立てることで、本発明による発光部材を得ることができる。組立に当たっては、基材１の収納溝１ａに線状光伝送体２を収納した後に固定部材３の貫通孔３ｂに線状光伝送体２を挿通しても良いし、固定部材３の貫通孔３ｂに線状光伝送体２を挿通した後に基材１の収納溝１ａに線状光伝送体２を収納しても良い。何れにしても、基材１の収納溝１ａに線状光伝送体２が収納され、固定部材３の貫通孔３ｂに線状光伝送体２を挿通された状態で、線状光伝送体２を導出方向に引き出せば、線状光伝送体２が収納溝１ａの底部方向に押し付けられることになり、より確実且つ容易に組立されることになる。併せて、線状光伝送体２を引き出す際の反力により、固定部材３が係止部３ｂによって係止される位置まで線状光伝送体２の導出方向と逆方向に押し上げられ、基材１における収納溝１ａが形成された面の少なくとも一部と固定部材３における挿通孔３ｂが形成された面の少なくとも一部が同一平面を構成する位置で固定される。
【００１３】
基材１と固定部材３の接合に当たっては、単純に両面粘着テープや接着剤によるものでも良いし、基材１と固定部材３が嵌合されるように、基材１と固定部材３にそれぞれ適合する溝、リブ、突起、孔等を形成してもよい。特に、線状光伝送体２を引き出す作業と連動するために、基材１と固定部材３がスライド係止する構造となっていることが好ましい。
【００１４】
上記のようにして引き出された線状光伝送体２の端部は、固定部材３の導出部分の面と合わせて切断される。そして、この固定部材３における線状光伝送体２の導出部分に、ＬＥＤ素子が内装された光源４が取り付けられ、照明装置とされる。この光源４からの光は線状光伝送体２に入射され、線状光伝送体の側面から発光した光が半透明乳白色の基材１に導入され、この基材１が均一に発光することとなる。
【００１５】
本発明は、上記実施の形態に限定されるものではない。例えば、基材１は環形状のみでなく、他の種々の形状も考えられる。収納溝１ａの断面形状も、正方形のみでなく、半円形、台形、三角形など、種々の形状が考えられる。注型加工、射出加工、切削加工、塑性加工等、種々の加工方法によって成形すればよい。また、収納溝１ａの開口部に突起を形成することや、収納溝１ａの底部に行くほど広くなる形状にすることにより、線状光伝送体２が外れにくくなるようにすることができる。また、上記実施の形態では、環形状の基材１の周形状に沿って収納溝１ａを形成したが、これに限定されることは無く、基材１上に自由に収納溝１ａを形成することができる。また、基材１における収納溝１ａが形成される面は、平面でなく曲面でも良いし、１面だけでなく複数面に収納溝１ａが形成されても良い。但し、貫通孔３ｂにおける収納溝１ａ側に位置する口である導入口と収納溝１ａの任意の位置とを結ぶ線が、収納溝１ａの開口面と交差しないことが必要である。図３及び図４に貫通孔３ｂにおける導入口３ｄと収納溝１ａの開口面１ｄとの関係を模式的に示す。図３において、収納溝１ａの任意の点としてＡ点及びＢ点を設定し、導入口３ｄとＡ点を結ぶ線をＬａ、導入口３ｄとＢ点を結ぶ線をＬｂとすると、Ｌａ、Ｌｂともに、開口面１ｄとは交差していない。この状態であれば、線状光伝送体２を固定部材３から引き出す力によって、線状光伝送体２が収納溝１ａの底部方向に押し付けられることになり、より確実且つ容易に組立を行うことができる。一方、図４において、収納溝１ａの任意の点としてＣ点及びＤ点を設定し、導入口３ｄとＣ点を結ぶ線をＬｃ、導入口３ｄとＤ点を結ぶ線をＬｄとすると、Ｌｃ、Ｌｄともに、開口面１ｄと交差することになる。この状態で線状光伝送体２を固定部材３から引き出すと、線状光伝送体２は収納溝１ａから脱離する方向の力を受けるため、本発明のような組立を容易とする効果を得ることができない。
【００１６】
基材１の材料についても、半透明乳白色のみでなく、無色透明のものや、種々の着色がされたものも考えられる。また、基材１への光の導入と発光をさせず、線状光伝送体２のみの発光とすることも考えられ、この場合は、基材１として不透明材料を使用することになる。また、例えば、自動車のコンソールやコントロールパネル等に使用する場合、自動車の内装部品や構造部品そのものを基材１として使用することも考えられる。例えば、家電のスイッチ周り等に使用する場合も同様に、家電の外板や構造部品そのものを基材１として使用することも考えられる。
【００１７】
また、線状光伝送体２の材料についても、使用用途や使用環境等により適宜設計すればよい。線状光伝送体２としては、クラッド材と、このクラッド材よりも屈折率の高い材料からなるコア材から構成されたものが、光伝送特性に優れ好ましい。この場合、クラッド材の材料として、耐薬品性が高く、充分な強度を有するフッ素樹脂を使用することが好ましい。クラッド材の材料としてフッ素樹脂を使用すれば、線状光伝送体２が傷付きにくくなる。また、線状光伝送体２のクラッド材の外周に、保護被覆を形成することも考えられる。この保護被覆も充分な強度を有する材料であり、透明な材料であることが好ましい。また、この保護被覆について、円筒形状以外の、例えば、断面四角形状や断面三角形状、或いは、他部材に固定するための突起を有する形状等、種々の形状にすることも考えられる。
【００１８】
固定部材３についても、上記のように貫通孔３ｂの導入口３ｄと収納溝１ａの開口面１ｄとの関係が満たされているなら、他の形態であっても構わない。本実施の形態では、往復２本の線状光伝送体２が１つの貫通孔３ｂに挿通されているが、貫通孔３ｂを２つ形成して、それぞれに線状光伝送体２を挿通させても良い。また、貫通孔３ｂの形状について、導入口３ｄから奥に行くほど狭くなるテーパ形状にしたり、断面形状を俵型にしたりするなど、他の形状にしても良い。また、上記実施の形態では、引き出された線状光伝送体２の端部が、固定部材３の導出部分の面と合わせて切断されているが、使用用途や仕様によっては、線状光伝送体２の端部は、引き出された状態のままとしても良い。
【００１９】
また、光源４についても、ＬＥＤの他、使用用途、使用環境、必要な光量、発光色等に応じて適宜選定すればよい。上記実施の形態では回路基板と一体化したＬＥＤ素子をケースに内装した光源４を使用したが、リード線等を介してケースの外部に回路基板を設置したものでもよい。また、光源４への電源については、リード線を介して接続してもよいし、小型電池も併せてケースに内装した形態も考えられる。
【００２０】
また、収納溝１ａや線状光伝送体２は、上記実施の形態のように１本である必要は無く、２本以上の複数を用いても良い。収納溝１ａや線状光伝送体２を複数とした場合、貫通孔３ｂや光源４の数をそれに合わせても良いし、線状光伝送体２を収束させて１つの貫通孔３ｂや光源４に対応させても良い。
【産業上の利用可能性】
【００２１】
以上説明したとおり、本発明による照明装置用の筐体は、放熱が可能であり且つ郷土に優れたものである。この筐体を使用した照明装置は、例えば、携帯電話・デジタルカメラ・腕時計・カーオーディオ・カーナビゲーション・パチンコ台・スロット台・自動販売機・車両室内外・犬の首輪・キッチン・交通標識・洗面台・シャワー・浴槽の湯温表示機・ＯＡ機器・家庭用電気製品・光学機器・各種建材・階段・手すり・電車のホーム・屋外看板等のイルミネーションや照明、液晶表示部のバックライト等の照明用として好適に使用することができる。
【符号の説明】
【００２２】
１    基材
１ａ    収納溝
１ｄ    開口面
２    線状光伝送体
３    固定部材
３ｂ    貫通孔
３ｃ    係止部
３ｄ    導入口
４      光源
【図１】
2014216276.tif 000003
【図２】
2014216276.tif 000004
【図３】
2014216276.tif 000005
【図４】
2014216276.tif 000006
【図５】
2014216276.tif 000007